(57)【特許請求の範囲】
【請求項１】
選曲された楽曲情報の送信要求を示すリクエスト信号の送信および選曲された楽曲情報の受信を通信回線を介して行うとともに、受信した楽曲情報を再生するカラオケ装置が設けられた少なくとも１つの部屋が備えられており、各部屋には、部屋の内部を撮影するカメラが設けられており、
前記カメラにより撮影される各部屋の内部を示す映像を表示手段に表示する映像表示手段と、前記楽曲情報が記憶された楽曲情報記憶手段とが接続され、前記カラオケ装置から送信された前記リクエスト信号に対応する楽曲情報を前記楽曲情報記憶手段から読出して前記通信回線を介して前記カラオケ装置へ送信するサーバーが備えられた楽音再生システムにおいて、
前記カメラには、
撮影した映像をデータ化して記憶する撮影データ記憶手段と、
前記データ化された撮影データを前記撮影データ記憶手段に書込む書込処理と、前記撮影データ記憶手段から前記撮影データを読出す読出処理と、その読出した撮影データを前記通信回線を介して前記サーバーへ送信する送信処理とを行う制御ボードと、が接続されており、
前記カラオケ装置は、
前記リクエスト信号を送信するときに前記制御ボードに対して、前記撮影データ記憶手段に記憶されている撮影データを前記通信回線を介して前記サーバーへ送信するように命令し、
前記制御ボードは、
前記カラオケ装置からの前記命令に従って前記読出処理および送信処理を実行し、
前記サーバーは、
前記カラオケ装置から前記リクエスト信号が送信されてきたか否かを判定する判定処理と、
この判定処理において肯定判定した場合に、前記カラオケ装置から送信された前記リクエスト信号と、前記制御ボードから送信された撮影データとを受信する第１受信処理と、
この第１受信処理により受信したリクエスト信号に対応する楽曲情報を前記楽曲情報記憶手段から読出して前記カラオケ装置へ送信する第１送信処理と、
前記判定処理において否定判定した場合に、前記撮影データの送信要求を示す撮影データ送信要求信号を前記制御ボードへ送信する第２送信処理と、
前記撮影データ送信要求信号を受信した前記制御ボードから送信された前記撮影データを受信する第２受信処理と、
前記第１受信処理または前記第２受信処理により受信した撮影データに対応する映像を前記映像表示手段に表示する表示処理と、からなる一連の処理を所定時間置きに実行することを特徴とする楽音再生システム。
【請求項２】
前記映像表示手段は、複数の部屋の内部を示す映像を一の画面上に部屋別に複数表示可能なものであることを特徴とする請求項１に記載の楽音再生システム。
【発明の詳細な説明】
【０００１】
【発明の属する技術分野】
この発明は、楽音を再生する楽音再生システムであって、曲データを通信回線を介して受信して再生するカラオケ装置と、カラオケ装置が設置された部屋の様子をモニタするカメラとが備えられた楽音再生システムとして好適なものに関する。
【０００２】
【従来の技術】
従来、カラオケ装置が設置された部屋を複数有し、時間単位で部屋の利用料金を徴収する形態の店、いわゆるカラオケＢＯＸが知られている。このカラオケＢＯＸでは、その地の条例などにより、各部屋にカメラを設置し、各部屋の様子をモニタすることが、店の管理者に義務付けられている。
そのカメラとモニタとの接続関係を図１１に示す。同図に示すように、各部屋３２０には、ビデオカメラ３００が設けられており、各ビデオカメラ３００は、送信ケーブル３０８により、中継アンプ３０２を介して管理室３０４に備えられたモニタ３０６にそれぞれ接続されている。また、各部屋３２０のカラオケ装置３１０は、通信ケーブル３１２により管理室３０４に備えられた、曲データを保有するサーバー３１４に接続されている。
そして、各ビデオカメラ３００により撮影される部屋内部の映像は、各モニタ３０６にそれぞれ映し出される。また、各カラオケ装置３１０から出されるリクエスト信号は、通信ケーブル３１２を介してサーバー３１４へ送信され、サーバー３１４は、そのリクエスト信号により示される選曲番号の曲データを通信ケーブル３１２を介してカラオケ装置３１０へ送信する。
【０００３】
【発明が解決しようとする課題】
しかし、上記従来のものは、ビデオカメラ３００とモニタ３０６とが、一対一の関係で接続されているため、部屋の数分のモニタを必要とするという問題がある。しかも、カラオケ装置３１０とサーバー３１４とを接続する通信ケーブル３１２とは別個に、ビデオカメラ３００とモニタ３０６とを接続する送信ケーブル３０８を敷設する必要があるという問題もある。
つまり、上記従来のものは、ビデオカメラとモニタを接続するために多くの手間がかかるという問題がある。しかも、管理室にはモニタを設置するための広いスペースが必要であるし、多くのモニタおよび送信ケーブルを導入するためのコストがかかるという問題もある。
【０００４】
そこで、本発明は、カメラとモニタとを接続するケーブルが不要であり、少ないモニタで多くの部屋の様子をモニタすることができる楽音再生システムの実現を目的とする。
【０００５】
【課題を解決するための手段】
本発明は、上記目的を達成するため、請求項１に記載の発明では、選曲された楽曲情報の送信要求を示すリクエスト信号の送信および選曲された楽曲情報の受信を通信回線を介して行うとともに、受信した楽曲情報を再生するカラオケ装置が設けられた少なくとも１つの部屋が備えられており、各部屋には、部屋の内部を撮影するカメラが設けられており、前記カメラにより撮影される各部屋の内部を示す映像を表示手段に表示する映像表示手段と、前記楽曲情報が記憶された楽曲情報記憶手段とが接続され、前記カラオケ装置から送信された前記リクエスト信号に対応する楽曲情報を前記楽曲情報記憶手段から読出して前記通信回線を介して前記カラオケ装置へ送信するサーバーが備えられた楽音再生システムにおいて、前記カメラには、撮影した映像をデータ化して記憶する撮影データ記憶手段と、前記データ化された撮影データを前記撮影データ記憶手段に書込む書込処理と、前記撮影データ記憶手段から前記撮影データを読出す読出処理と、その読出した撮影データを前記通信回線を介して前記サーバーへ送信する送信処理とを行う制御ボードと、が接続されており、前記カラオケ装置は、前記リクエスト信号を送信するときに前記制御ボードに対して、前記撮影データ記憶手段に記憶されている撮影データを前記通信回線を介して前記サーバーへ送信するように命令し、前記制御ボードは、前記カラオケ装置からの前記命令に従って前記読出処理および送信処理を実行し、前記サーバーは、前記カラオケ装置から前記リクエスト信号が送信されてきたか否かを判定する判定処理と、この判定処理において肯定判定した場合に、前記カラオケ装置から送信された前記リクエスト信号と、前記制御ボードから送信された撮影データとを受信する第１受信処理と、この第１受信処理により受信したリクエスト信号に対応する楽曲情報を前記楽曲情報記憶手段から読出して前記カラオケ装置へ送信する第１送信処理と、前記判定処理において否定判定した場合に、前記撮影データの送信要求を示す撮影データ送信要求信号を前記制御ボードへ送信する第２送信処理と、前記撮影データ送信要求信号を受信した前記制御ボードから送信された前記撮影データを受信する第２受信処理と、前記第１受信処理または前記第２受信処理により受信した撮影データに対応する映像を前記映像表示手段に表示する表示処理と、からなる一連の処理を所定時間置きに実行するという技術的手段を採用する。
【０００６】
【０００７】
【０００８】
請求項２に記載の発明では、請求項１に記載の楽音再生システムにおいて、前記映像表示手段は、複数の部屋の内部を示す映像を一の画面上に部屋別に複数表示可能なものであるという技術的手段を採用する。
【０００９】
【作用】
請求項１および請求項２に記載の発明では、カラオケ装置がリクエスト信号を送信するときに制御ボードに対して、撮影データ記憶手段に記憶されている撮影データを通信回線を介してサーバーへ送信するように命令すると、制御ボードは、その命令に従って撮影データ記憶手段から撮影データを読出し、その読出した撮影データをて通信回線を介してサーバーへ送信する。そして、サーバーは、カラオケ装置からリクエスト信号が送信されてきたか否かを判定すると、リクエスト信号および撮影データを受信し、その受信したリクエスト信号に対応する楽曲情報を楽曲情報読出手段から読出してカラオケ装置へ送信し、受信した撮影データに対応する映像を映像表示手段に表示する。
また、サーバーは、リクエスト信号が送信されてきていないと判定した場合は、撮影データの送信要求を示す撮影データ送信要求信号を制御ボードへ送信し、その撮影データ送信要求信号を受信した制御ボードから送信された撮影データを受信し、その撮影データに対応する映像を映像表示手段に表示するという一連の処理を所定時間置きに実行する。
つまり、部屋の様子を撮影した映像を示す撮影データを、リクエスト信号の送信および楽曲情報の受信に使用する通信回線を使用してサーバーへ送信することができる。
したがって、撮影データを送信するための送信ケーブルを別個に敷設する必要がない。
【００１０】
特に、サーバーは、所定時間置きに、リクエスト信号が送信されてきたか否かを判定する。このため、リクエスト信号が送信されてきていないときは、上記撮影データ記憶手段に記憶されている撮影データを所定時間置きに上記通信回線を介して受信し、この受信した撮影データに基づいて、この撮影データにより示される映像を撮影したカメラが設けられた部屋の内部を示す映像を上記映像表示手段に表示することができるため、各部屋の様子を所定時間置きに見ることができる。
つまり、各部屋の様子をモニタするという目的を果たすためには、各部屋の様子をリアルタイムで表示する必要はなく、所定時間置き、たとえば、後述する発明の実施の形態に記載するように、１秒置きに表示すれば、各部屋の様子を十分に把握することができる。
【００１１】
【００１２】
さらに、請求項２に記載の発明では、上記映像表示手段は、複数の部屋の内部を示す映像を一の画面上に部屋別に複数表示可能なものであるため、部屋の数分、表示手段を設ける必要がない。
【００１３】
【発明の実施の形態】
以下、本発明の楽音再生システムの実施形態について図を参照して説明する。
なお、以下の実施形態では、楽音再生システムの一例として、カラオケ装置が設置された部屋を複数有する、いわゆるカラオケＢＯＸを代表に説明する。
まず、本実施形態のカラオケＢＯＸの主要構成について、それを示す図１を参照して説明する。
【００１４】
図１に示すように、カラオケＢＯＸ１０は、Ｎｏ．１ないしＮｏ．１２までの１２室を有し、各部屋１２には、部屋の内部を撮影するビデオカメラ２４と、楽曲情報再生手段たるカラオケ装置３０とがそれぞれ設置されている（図２参照）。各ビデオカメラ２４は、撮影された映像を示す撮影データを記憶する撮影データ記憶手段たるメモリ２３と、このメモリ２３に対して撮影データの書込みおよび読出しの制御などを行うＣＰＵ２２とを有する制御ボード２１にそれぞれ接続されている。また、各カラオケ装置３０は、ＬＡＮボード２０にそれぞれ接続されており、各制御ボード２１およびカラオケ装置３０は、ＨＵＢ１６を介してそれぞれ通信ケーブル１８に接続されており、この通信ケーブル１８は、管理室１４に備えられたＨＵＢ１６に接続されている。
【００１５】
また、管理室１４に備えられたＨＵＢ１６には、ＬＡＮボード２０が接続されており、このＬＡＮボード２０には、曲データの送信要求に応えて曲データを送信するサーバー２５が接続されている。このサーバー２５には、曲データが蓄積されたハードディスクメモリから曲データを読出すハードディスクドライブユニット（以下、ＨＤＤと略称する）２６が接続されている。また、サーバー２５には、このサーバー２５に受信された撮影データをモニタに表示するための表示信号に変換する表示回路２７が接続されており、この表示回路２７には、その表示信号により示される映像をＣＲＴに表示する表示手段たるモニタ２８が接続されている。
なお、本実施形態では、上記ビデオカメラ２４としてＣＣＤビデオカメラであって、撮影した映像を３０分の１秒単位の静止画としてデジタル処理できるものが用いられ、メモリ２３としてビデオＲＡＭが用いられる。
【００１６】
次に、カラオケ装置３０の主要構成について、それを示す図２を参照して説明する。
図２に示すように、部屋１２に設置されたカラオケ装置３０には、カラオケ用の背景映像および歌詞を示す歌詞映像などをＣＲＴに表示するモニタ３２と、歌い手のモニタ用のモニタ３４とが備えられている。また、通信ケーブル１８を介しての楽曲情報たる曲データの受信、選曲、曲の予約、演奏される曲の音程制御（キーコントロール）、モニタ３２，３４に表示される映像の切替え、合成、分割などの各種制御を行う制御装置４０が備えられている。
【００１７】
さらに、マイク８５，８６から入力される音声と楽曲たるカラオケ曲とのミキシング、音声とカラオケ曲との音量バランス、エコー調整、ディレイ調整、音声信号の増幅、高音、低音の制御（トーンコントロール）などを行うアンプ１６と、このアンプ１６から出力される増幅信号を音として再生するフロアータイプの１組のスピーカ８３，８３と、天井用の１組のスピーカ８４，８４と、制御装置４０を遠隔操作する送信器９０とが備えられている。
【００１８】
次に、制御装置４０の装備について図３を参照して説明する。
図３（Ａ）は、制御装置４０の前面パネルの説明図、同図（Ｂ）は、制御装置４０の背面パネルの説明図である。
図３（Ａ）に示すように、制御装置４０の前面パネルには、選曲する曲の番号の入力などを行うための０〜９のボタンからなるテンキー４１と、制御装置４０を選曲可能状態にし、また、選曲を確定するための選曲ボタン４２とが設けられており、テンキー４１の上には、選曲された曲の番号を５桁の数字でＬＥＤ表示する選曲番号表示体４３が設けられている。
【００１９】
また、選曲番号表示体４３の左には、演奏が予約されている曲の数をＬＥＤ表示する予約曲数表示体４４が設けられており、その下には、予約の取消を行うための取り消しボタン４５と、演奏を停止させる演奏停止ボタン４６と、歌っている途中で最初から歌い直すための歌い直しボタン４７と、予約曲の間に割り込んで予約するための割り込みボタン４８とが設けられている。さらに、前面パネルの左上には、送信器９０から発信される光信号を受光する受光部５８が設けられており、左下には、制御装置４０の電源を起動させる電源ボタン５９が設けられている。
【００２０】
また、テンキー４１の右には、演奏される曲のキーを低くするためのフラットキー４９と、キーを標準にする標準キー５０と、キーを高くするシャープキー５１とが設けられており、その下には、歌唱力に応じて歌声にかける効果音の強弱を設定するボーカルボタン５２と、２コーラス目をカットする２コーラスカットボタン５３と、曲の後奏部分をカットする後奏カットボタン５４とが設けられている。
さらに、その下には、カラオケを行うモードとカラオケを行わないモードとに切り替えるカラオケ切替ボタン５５と、通信ケーブル１８を介して入力されるデータを曲データからＢＧＭ、有線放送、テレビ放送などに切り替える入力切替ボタン５６と、モニタ３２，３４の表示をカラオケ店が提供しているサービス情報の表示に切り替えるサービスボタン５７とが設けられている。
【００２１】
また、図３（Ｂ）に示すように、制御装置４０の背面パネルには、曲データを保有するサーバー２５（図１参照）から配信される曲データを受信する通信ケーブル１８を接続する通信端子６０が設けられており、この通信端子６０の右方には、モニタ３２の映像入力端子（図示省略）と接続される映像出力端子６２と、モニタ３４の映像入力端子（図示省略）と接続される映像出力端子６３とが設けられている。また、その右側には、アンプ３６の音声入力端子（図示省略）と接続される音声出力端子６１が設けられている。
【００２２】
また、図示しないが、アンプ３６には、音量を調整するボリュームつまみと、マイク８５，８６を接続するマイク端子と、それらマイクから入力される音声とカラオケ曲との音量のバランス調整を行うためのバランス調整つまみと、エコーのかかり具合を調整するためのエコー調整つまみと、ディレイのかかり具合を調整するためのディレイ調整つまみなどが設けられている。
【００２３】
次に、送信器９０の構成について、それを示す図４を参照して説明する。
送信器９０の左上には、制御装置４０の電源をＯＮ、ＯＦＦする電源ボタン９１が設けられており、右上には、曲の演奏終了後に拍手の音を再生するように設定するための拍手ボタン９３が設けられており、その左には、拍手のモード（種類）を切り替えるモード切替ボタン９２が設けられている。それらボタンの下には、制御装置４０に設けられたボタンと同じ作用を行うボーカルボタン９４と、２コーラスカットボタン９５と、後奏カットボタン９６とが設けられている。
【００２４】
また、それらボタンの下には、制御装置４０に設けられたボタンと同じく、フラットキー９７、標準キー９８、シャープキー９９、テンキー１００、選曲キー１０１、演奏停止キー１０２、取り消しキー１０３、歌い直しキー１０４、割り込みキー１０５が設けられている。
なお、上記各ボタンおよびキーを押したときに、そのボタンまたはキーに対応する信号が、発信部１０６に内蔵されたＬＥＤから発信される。
【００２５】
次に、上記制御装置４０の制御系の構成について、それをブロック図で示す図５を参照して説明する。
制御装置４０には、曲データの送信要求、音声制御、映像制御、曲の演奏順序の予約および演奏順序の変更などをプログラムにしたがって行うＣＰＵ６４が備えられている。このＣＰＵ６４には、選曲された曲の番号を示す曲番号データなどを一時保存するＲＡＭ６５と、送信器９０から送信されるコマンドに対応する制御コマンドなどが記憶されたＲＯＭ６６と、ＣＰＵ６４による演算結果を一時保存するＲＡＭ６８，６９と、送信器９０の選択ボタン１０８の各番号に対応する個人情報を記憶するＥＥＰＲＯＭ７０とが接続されている。
【００２６】
また、ＣＰＵ６４には、サーバー２５から通信ケーブル１８、通信端子６０およびＬＡＮボード２０を介して入力された曲データをハードディスクメモリに蓄積するＨＤＤ７１が接続されている。このＨＤＤ７１には、上記各制御をＣＰＵ６４に実行させるためのプログラムなどが記録されている。
さらに、ＣＰＵ６４には、タイマ７８のカウントにしたがってＭＩＤＩデータをＭＩＤＩ音源７７へ書き込む制御を行うシーケンサ７６と、ＭＩＤＩ音源７７から出力される音データを入力してアナログ信号に変換する音声制御回路７５と、背景映像データが記録されたＣＤ−ＲＯＭを再生するＣＤ−ＲＯＭ再生装置６７とが接続されている。
【００２７】
またさらに、ＣＰＵ６４には、ＣＤ−ＲＯＭ再生装置６７から読出された背景映像データおよびＨＤＤ７１から読出された曲データ中の歌詞映像データを入力し、モニタ３２，３４に表示される映像として、図１０に示すように、背景映像２００中に歌詞映像２０２がスーパーインポーズされた映像を作成したり、歌詞映像２０２にテロップ２０４をかけたりする映像制御回路７９が接続されている。そしてさらに、ＣＰＵ６４には、受光部５８により受光された光信号をデジタル信号に変換する受光回路８０と、上記各種ボタンを押したときに点灯するＬＥＤへ表示信号を出力する表示回路８１と、上記各種ボタンを押したときに発生するスイッチング信号を入力する入力回路８２とが接続されている。
【００２８】
次に、利用者が選曲してカラオケをするに至るまでのカラオケ装置３０の一連の動作と、ビデオカメラ２４により撮影された部屋１２の様子を管理室１４のモニタ２８に表示するに至るまでのサーバー２５の動作について図６ないし図８を参照して説明する。
図６は、制御装置４０に備えられたＣＰＵ６４の制御内容を示し、図７は、制御ボード２１に備えられたＣＰＵ２２の制御内容を示し、図８は、サーバー２５の制御内容を示す。
なお、管理室１４に備えられたモニタ２８は、図９に示すように、画面を部屋番号Ｎｏ．１ないしＮｏ．１２の１２個に分割して、各部屋の映像を表示するように構成されている。また、ビデオカメラ２４は、すでに撮影状態にあるものとする。
【００２９】
まず、部屋番号Ｎｏ．１の部屋１２に入室した利用者が、送信器９０を制御装置４０に向けて、電源ボタン９１を押すと、制御装置４０の電源が投入され、これに連動してモニタ３２，３４およびアンプ３６が起動する。続いて、送信器９０の選曲ボタン１０１を押すと、選曲可能状態になり、テンキー１００を押して歌いたい曲の曲番号を入力する。このとき、テンキーを押す毎に、その押したキーに対応する数字が、モニタ３２，３４および制御装置４０の曲番号表示体４３に表示され、曲番号の確認をできるようになっている。
なお、選曲中であることは、表示された数字が点滅表示されることにより確認できるようになっている。
【００３０】
そして、曲番号の入力が終了し、選曲ボタン１０１を押すと入力した曲番号が確定されると（ステップ１００）、その選曲番号に対応する曲データの送信要求を示す選曲信号たるリクエスト信号が、ＬＡＮボード２０からＨＵＢ１６を介して通信ケーブル１８により管理室１４のサーバー２５へ送信される（ステップ１２０）。続いて、ビデオカメラ２４により撮影され、メモリ２３に記憶されている撮影データを管理室１４へ送信させる命令を示す撮影データ送信命令信号が、ＣＰＵ６４からＬＡＮボード２０を介して、制御ボード２１が接続されたＬＡＮボード２０へ送信される（ステップ１４０）。
【００３１】
この送信された撮影データ送信命令信号は、制御ボード２１に設けられたＣＰＵ２２の入力ポートへ入力され、ＣＰＵ２２は、図７に示すように、撮影データ送信命令信号を検出すると（ステップ３００）、メモリ２３から撮影データを読出し（ステップ３２０）、この読出した撮影データをＬＡＮボード２０からＨＵＢ１６を介して通信ケーブル１８により管理室１４の表示回路２７へ送信する（ステップ３４０）。
【００３２】
一方、管理室１４のサーバー２５は、図８に示すように、時間Ｔ１が経過したときに（ステップ４００）、部屋番号Ｎｏ．１からリクエスト信号が送信された場合には（ステップ４２０）、その送信されたリクエスト信号により示される選曲番号データと撮影データとを受信する（ステップ４４０）。
つまり、部屋番号Ｎｏ．１のカラオケ装置３０からリクエスト信号をサーバー２５へ送信するタイミングを利用して撮影データをサーバー２５へ送信するため、通信ケーブル１８を効率良く使うことができる。
そして、上記受信したリクエスト信号により示される選曲番号に対応する曲番号を有する曲データをＨＤＤ２６から検索して読出し、その読出した曲データを通信回線１８を介して、部屋番号Ｎｏ．１のカラオケ装置３０へ送信する（ステップ４６０）。
なお、上記時間Ｔ１は、本実施形態では、１秒である。
【００３３】
続いて、上記受信した撮影データは、サーバー２５から表示回路２７へ出力されるとともに、モニタ２８により表示可能な表示信号に変換され、この表示信号により示される撮影映像がモニタ２８の部屋番号Ｎｏ．１のスペース（図９においてＮｏ．１で示す区画された部分）に表示される（ステップ４８０）。
【００３４】
一方、カラオケ装置３０は、曲データをＬＡＮボード２０により受信し（ステップ１６０）、この受信された曲データは、ＨＤＤ７１に保存開始される。続いて、その保存が終了するとＨＤＤ７１から曲データが読出され、曲データに含まれるＭＩＤＩデータは、シーケンサ７６に取り込まれ、タイマ７８のカウントにしたがってＭＩＤＩ音源７７に書き込まれる。ＭＩＤＩ音源７７にＭＩＤＩデータの書き込まれた部分の音源データは、音声制御回路７５へ出力され、アンプ３６によって増幅可能なアナログの音楽信号に変換される。この音楽信号は、アンプ３６へ出力され、増幅された後にスピーカ８３，８３、スピーカ８４，８４へ出力され、両スピーカによって再生される（ステップ２６０）。
【００３５】
また、マイク８５、または、マイク８６から入力された音声は、アンプ３６に内蔵されたマイクミキシング回路により、上記音楽信号とミキシングされ、このミキシングされたミキシング信号は、アンプ３６により増幅された後にスピーカ８３，８３、スピーカ８４，８４へ出力され、両スピーカによって音楽信号および音声信号が再生される（ステップ１８０）。
【００３６】
さらに、曲データには、曲のジャンルを特定するジャンルデータが含まれており、このジャンルデータに対応する背景映像がＣＤ−ＲＯＭ再生装置６７により再生され、曲データに含まれる歌詞映像データとともに、映像制御回路７９に入力され、モニタ３２，３４に表示可能な歌詞映像信号に変換され、図１１に示すように、背景映像２００の中に歌詞映像２０２がスーパーインポーズされた形で表示される。また、歌詞映像２０２の上には、テロップ映像２０４が重ねて表示される（ステップ２００）。
このようにして、利用者は、自分の選んだ曲をモニタ３２，３４の画面に映し出された背景映像２００および歌詞映像２０２を見ながらマイク８５、または、マイク８６を通して歌う（カラオケする）。
なお、曲データの再生が終了し（ステップ２２０）、予約曲がある場合には（ステップ２４０）、予約曲の選曲番号データを読出し（ステップ２６０）、ステップ１２０へスキップし、上記同様にステップ１２０ないしステップ２４０を繰り返す。
【００３７】
一方、サーバー２５は、ステップ４００において、時間Ｔ１（１秒）が経過したときにリクエスト信号を受信しなかった場合には（ステップ４２０）、部屋番号Ｎｏ．１の制御ボード２１へ撮影データ送信要求信号を送信し（ステップ４２２）、その要求に応えて制御ボード２１から送信された撮影データを受信し（ステップ４２４）、モニタ２８に表示する（ステップ４８０）。
つまり、時間Ｔ１（１秒）置きに必ず、部屋番号Ｎｏ．１の撮影データをサーバー２５へ送信させることにより、リアルタイムに近いモニタ状態を確保する。
【００３８】
また、サーバー２５は、部屋番号Ｎｏ．１の映像を表示すると、すぐに部屋番号Ｎｏ．２の部屋からリクエスト信号が送信されたかを判定し（ステップ５００）、リクエスト信号が送信された場合には、そのリクエスト信号により示される選曲番号データと、部屋番号Ｎｏ．２に設けられたビデオカメラ２４により撮影された撮影データとを受信する（ステップ５２０）。
一方、部屋番号Ｎｏ．２の部屋からリクエスト信号が送信されていない場合には、部屋番号Ｎｏ．２の制御ボード２１へ撮影データ送信要求信号を送信し（ステップ５０２）、その要求に応えて送信された撮影データを受信する（ステップ５０４）。
【００３９】
以降、部屋番号Ｎｏ．３ないしＮｏ．１２の各部屋に対して、順に上記ステップ４２０ないし４８０を実行し、各部屋の映像をモニタ２８に順次表示する。
以上のように、本実施形態のカラオケＢＯＸ１０によれば、カラオケ装置３０とサーバー２５とを接続する通信ケーブルを用いて、撮影データを管理室１４へ送信することができるため、撮影データ送信用のケーブルを別個に敷設する必要がない。
したがって、ケーブルの敷設の手間およびコストを省くことができる。
しかも、１２室の様子を示す映像を１つのモニタ２８に表示できるため、管理室１４にモニタを設置するためのスペースを削減できるし、モニタの導入コストも１台分で済む。
さらに、ＬＡＮを用いており、信号をデジタルで送受信することができるため伝送速度が速く、各部屋の映像のモニタリングを、ほぼリアルタイムで行うことができる。
【００４０】
なお、上記実施形態では、各部屋の全部を順にモニタする場合の構成を説明したが、使用中の部屋のみをモニタするように構成することもできる。この場合、図８において、ステップ４２０およびステップ５００の前に「カラオケ装置３０の電源ＯＮ？」の判定ステップをそれぞれ挿入し、その判定が否定判定の場合には、次の同じ内容の判定ステップへスキップするようにする。
また、上記実施形態では、総ての部屋の映像を１つの画面上に表示する場合を説明したが、たとえば、４つの部屋を１組にして順に１組ずつ表示するようにすることもできる。この場合は、モニタに表示される面積が大きいため、見易いという効果がある。
【００４１】
さらに、制御ボード２１のＣＰＵ２２は、カラオケ装置３０の制御装置４０内に設けてもよいし、ＣＰＵ２２の機能をＣＰＵ６４に持たせてもよい。また、複数のモニタに表示できることは勿論である。
ところで、ＣＰＵ６４により実行されるステップ４００ないしステップ５２０が、本発明の映像表示手段として機能し、ステップ３００ないしステップ３４０が、映像データ送信手段として機能する。
【００４２】
【発明の効果】
以上のように、本発明によれば、カメラとモニタとを接続するケーブルが不要であり、少ないモニタで多くの部屋の様子をモニタすることができる楽音再生システムを実現することができる。
したがって、専用ケーブルおよび多くのモニタを設置するための手間および導入コストを削減することができる。
【図面の簡単な説明】
【図１】  本発明実施形態のカラオケＢＯＸの主要構成を示す説明図である。
【図２】  図１に示すカラオケＢＯＸに設置されたカラオケ装置の外観説明図である。
【図３】  （Ａ）は、カラオケ装置に備えられた制御装置の前面パネルの説明図であり、（Ｂ）は、制御装置の背面パネルの説明図である。
【図４】  カラオケ装置に備えられた送信器の説明図である。
【図５】  制御装置の制御系の構成を示すブロック図である。
【図６】  ＣＰＵ６４の制御内容を示すフローチャートである。
【図７】  ＣＰＵ２２の制御内容を示すフローチャートである。
【図８】  サーバー２５の制御内容を示すフローチャートである。
【図９】  モニタ２８の表示画面の説明図である。
【図１０】  モニタ３２に表示された背景映像および歌詞映像を示す説明図である。
【図１１】  従来のカラオケＢＯＸにおけるビデオカメラとモニタとの接続関係を示すブロック図である。
【符号の説明】
１０          カラオケＢＯＸ
１２          部屋
１４          管理室
１６          ＨＵＢ
１８          通信ケーブル
２０          ＬＡＮボード
２１          制御ボード
２２，６４    ＣＰＵ
２４          ビデオカメラ
２５          サーバー
２６，７１    ＨＤＤ
２８          モニタ
３０          カラオケ装置
３２，３４    モニタ
３６          アンプ
４０          制御装置
６７          ＣＤ−ＲＯＭ再生装置
８３，８４    スピーカ
８５，８６    マイク
９０          送信器
【図１】
0003947583.tif 000002
【図２】
0003947583.tif 000003
【図３】
0003947583.tif 000004
【図４】
0003947583.tif 000005
【図５】
0003947583.tif 000006
【図６】
0003947583.tif 000007
【図７】
0003947583.tif 000008
【図８】
0003947583.tif 000009
【図９】
0003947583.tif 000010
【図１０】
0003947583.tif 000011
【図１１】
0003947583.tif 000012